(57)【特許請求の範囲】
【請求項１】
野菜・花苗を植え付けるための植付溝を地面に形成する移植機の溝掘器において、
金属製の溝掘器本体の土中埋没範囲の下部に略前後に延びる金属製の下側突段部が設けられるとともに、
該下側突段部の段高さよりも薄い樹脂層が該下側突段部の上側に隣接するように前記土中埋没範囲に形成されていることを特徴とする移植機の溝掘器。
【請求項２】
前記土中埋没範囲の下部に金属板が配設されることにより前記下側突段部が形成され、前記下側突段部の上側に樹脂フィルムが貼られることにより前記樹脂層が形成された請求項１記載の移植機の溝掘器。
【請求項３】
前記土中埋没範囲の進行方向前部に前記樹脂層の厚さより段高さが高い上下に延びる金属製の前側突段部が設けられ、
前記樹脂層は、前記下側突段部の上側かつ前記前側突段部の後側に隣接するように前記土中埋没範囲に形成された請求項１又は２記載の移植機の溝掘器。
【請求項４】
前記土中埋没範囲の進行方向前側に金属板が配設されることにより前記前側突段部が形成され、前記下側突段部の上側かつ前記前側突段部の後側に樹脂フィルムが貼られることにより前記樹脂層が形成された請求項３記載の移植機の溝掘器。
【発明の詳細な説明】
【０００１】
【発明の属する技術分野】
本発明は、圃場の表面に野菜・花苗を植え付けるための植付溝を形成するための移植機の溝掘器に関するものである。
【０００２】
【従来の技術】
従来の移植機の溝掘器として、左右一対の金属板の前側縁部がスポット溶接されてなる無底で舟型に形成されたものを例示する。溝掘器は機体に懸垂支持され、地中に対して適度な深さで圧入される。そして、機体の進行に応じて圃場の表面に所定幅の植付溝を形成するようになっている。溝掘器がこのように金属製とされているのは、土に対する耐摩耗性の点で優れているからである。
【０００３】
【発明が解決しようとする課題】
ところが、溝掘器は金属製であるため、その表面の土中埋没範囲に土が付着・堆積しやすく、これを放置しておくと、植付溝の幅が徐々に広くなってしまい、土寄せ部による植付溝の埋め戻しや、野菜・花苗の株元の地面の押し固めが不十分になって、野菜・花苗が乾燥し易くなり活着が遅れるという問題が生じる。さらに、土が溝掘器に付着することによって抵抗が増大し、機体の走行スピードが低下して、野菜・花苗の植付間隔が所定間隔よりも段々と狭くなってしまうという問題も生ずる。このため、溝掘器に土が付着・堆積してきたときはそれをマメに掻き落とさなければならず、手間が掛かっていた。
【０００４】
本発明の目的は、上記課題を解決し、土による摩耗対策と、土の付着対策とを施した移植機の溝掘器を提供することにある。
【０００５】
【課題を解決するための手段】
上記目的を達成するために、本発明の移植機の溝掘器は、野菜・花苗を植え付けるための植付溝を地面に形成する移植機の溝掘器において、金属製の溝掘器本体の土中埋没範囲の下部に略前後に延びる金属製の下側突段部が設けられるとともに、該下側突段部の段高さよりも薄い樹脂層が該下側突段部の上側に隣接するように前記土中埋没範囲に形成されていることを特徴としている。
【０００６】
前記溝掘器においては、前記土中埋没範囲の下部に金属板が配設されることにより前記下側突段部が形成され、前記下側突段部の上側に樹脂フィルムが貼られることにより前記樹脂層が形成された態様を例示する。
【０００７】
これらの構成により、土中埋没範囲の下部には金属による摩耗対策を施し、その上側には樹脂による土の付着対策を施すことができる。土中埋没範囲の下部を金属製にしているのは、該下部は土圧が強く摩耗し易い反面土が付着し難いからであり、該下部の上側表面に樹脂層を形成しているのは該上側は土圧が弱く摩耗し難い反面土が付着し易いからである。これに加え、前記下側突段部の段高さよりも薄い樹脂層が該下側突段部の上側に隣接するように形成されているので、下側突段部の上端面が樹脂層の下端面を覆い、これにより樹脂層の下側の剥がれを防止するようになっている。
【０００８】
また、前記溝掘器においては、前記土中埋没範囲の進行方向前部に前記樹脂層の厚さより段高さが高い上下に延びる金属製の前側突段部が設けられ、前記樹脂層は、前記下側突段部の上側かつ前記前側突段部の後側に隣接するように前記土中埋没範囲に形成された態様を例示する。
【０００９】
前記溝掘器においては、前記土中埋没範囲の進行方向前側に金属板が配設されることにより前記前側突段部が形成され、前記下側突段部の上側かつ前記前側突段部の後側に樹脂フィルムが貼られることにより前記樹脂層が形成された態様を例示する。
【００１０】
これらの構成により、土中埋没範囲の進行方向前部は金属による摩耗対策を施し、その後側には樹脂による土の付着対策を施すことができる。土中埋没範囲の進行方向前部を金属製にしているのは、該前部は土圧が強く摩耗し易い反面土が付着し難いからであり、該前部の後側表面に樹脂層を形成しているのは該後側は土圧が弱く摩耗し難い反面土が付着し易いからである。これに加え、前記前側突段部の段高さよりも薄い樹脂層が該前側突段部の後側に隣接するように形成されているので、前側突段部の後端面が樹脂層の前端面を覆い、これにより樹脂層の進行方向前側の剥がれを防止するようになっている。
【００１１】
【発明の実施の形態】
図１〜図４は本発明を具体化した一実施形態の移植機の溝掘器を示している。本例の移植機は、左右の走行車輪２に走行自在に支持された機体１と、該機体１の上部に設けられ、ポット苗箱の載置自在な苗載台３と、ポット苗箱から野菜・花苗Ｐを横一列ずつ取り出された野菜・花苗Ｐを一本ずつ搬送する苗搬送装置４と、圃場に植付溝１０を形成する本発明の溝掘器８と、苗搬送装置４により搬送されてきた野菜・花苗Ｐを受け取って溝掘器８の後方で植付溝１０に植え付ける植付装置６と、該植付装置６の後方で植付溝１０を埋め戻すための左右一対の土寄輪７とを備えている。
【００１２】
溝掘器８は、無底で舟型に形成されて機体１に懸垂支持されている。この溝掘器８は、左右一対の金属製の溝掘器本体１１と、溝掘器本体１１表面の土中埋没範囲Ａの下側縁部及び前側縁部にそれぞれ下側突段部１２及び前側突段部１３を形成する横長部１４ａ及び縦長部１４ｂからなる段形成板１４と、該下側突段部１２の上側に隣接し、かつ、前側突段部１３の後側に隣接するように土中埋没範囲Ａに貼られた樹脂層を形成するための樹脂フィルム１５とを備えている。各溝掘器本体１１の上部表面には、該溝掘器８を支持するための３つの雌ネジ部材１１ａが固定されている。両溝掘器本体１１の前縁部及び両段形成板１４の縦長部１４ｂと、各溝掘器本体１１の下縁部及び各段形成板１４の横長部１４ａとは、それぞれスポット溶接（２０）により固定されている。樹脂フィルム１５の厚さは、両突段部の段高さよりも薄いものが採用されている。特に限定されないが、本例では、段形成板１４は厚さ約２ｍｍのものが採用され、樹脂フィルム１５は厚さ約０．５〜約１ｍｍ（段形成板１４の厚さの約１／４〜約１／２）のものが採用されている。
【００１３】
この溝掘器８は地中に対して適度な深さで圧入され、機体１の進行に応じて圃場Ｈの表面に所定幅の植付溝１０を形成するようになっている。
【００１４】
以上のように構成された本発明の移植機の溝掘器８によれば、溝掘器８の土中埋没範囲Ａの下部に略前後に延びる金属製の下側突段部１２が設けられるとともに、樹脂フィルム１５が下側突段部１２の上側に配設されているので、土中埋没範囲Ａの下部には金属（１４ａ）による摩耗対策を施し、その上部には樹脂フィルム１５による土の付着対策を施すことができる。しかも、下側突段部１２の段高さよりも薄い樹脂フィルム１５が該下側突段部１２の上側に隣接するように貼られているので、下側突段部１２の上端面が樹脂フィルム１５の下端面を覆い、これにより樹脂フィルム１５の下側の剥がれを防止することができる。
【００１５】
これに加え、溝掘器８の土中埋没範囲Ａの進行方向前部に上下に延びる金属製の前側突段部１３が設けられ、樹脂フィルム１５が該前側突段部１３の後側に配設されているので、土中埋没範囲Ａの進行方向前側は金属（１４ｂ）による摩耗対策を施し、その後部には樹脂フィルム１５による土の付着対策を施すことができる。しかも、前側突段部１３の段高さよりも薄い樹脂フィルム１５が該前側突段部１３の後側に隣接するように貼られているので、前側突段部１３の後端面が樹脂フィルム１５の前端面を覆い、これにより樹脂フィルム１５の進行方向前側の剥がれを防止することができる。
【００１６】
なお、本発明は前記実施形態に限定されるものではなく、例えば以下のように、発明の趣旨から逸脱しない範囲で適宜変更して具体化することもできる。
（１）各突段部１２，１３を溝掘器本体１１に一体形成すること。
（２）各突段部１２，１３の断面形状や輪郭形状を適宜変更すること。
（３）樹脂層の形成方法を適宜変更すること。例えば、溝掘器本体１１表面に直接樹脂層を成形する態様が挙げられる。
【００１７】
【発明の効果】
以上詳述したように、本発明の移植機の溝掘器によれば、土による摩耗対策と、土の付着対策とを施すことができるという優れた効果を奏する。
【図面の簡単な説明】
【図１】  本発明の一実施形態に係る溝掘器を備えた移植機を示す側面図である。
【図２】  同溝掘器を示す斜視図である。
【図３】  図２のＩＩＩ−ＩＩＩ線断面図である。
【図４】  図２のＩＶ−ＩＶ線断面図である。
【符号の説明】
８    溝掘器
１０    植付溝
１１    溝掘器本体
１２    下側突段部
１３    前側突段部
１４    段形成板
１４ａ  横長部
１４ｂ  縦長部
１５    樹脂フィルム
Ａ    土中埋没範囲
Ｐ    野菜・花苗
【図１】
0003705356.tif 000002
【図２】
0003705356.tif 000003
【図３】
0003705356.tif 000004
【図４】
0003705356.tif 000005